(57)【特許請求の範囲】
【請求項１】
経路探索処理によって得られた目的地までの誘導経路に沿って車両の走行を案内する車両案内手段と、
自車両の位置を検出する車両位置検出手段と、
自車両が停車して自装置の停止が指示されたときに、前記車両位置検出手段によって検出された自車両の位置から前記誘導経路に至る道順、あるいは、前記誘導経路に沿った道順を示す複数の案内画像を生成する案内画像生成手段と、
前記案内画像生成手段によって生成された前記複数の案内画像を保存する案内画像保存手段と、
自装置の次回起動時に、前記車両案内手段による案内動作が開始される前に、前記案内画像保存手段に保存された前記複数の案内画像を読み出して順番に表示する案内画像表示手段と、
を備え、前記案内画像生成手段は、自車両の停車位置と、前記誘導経路に至る前記道順あるいは前記誘導経路に沿った道順に沿って自車両が走行する経路とが含まれる地図画像を複数複製して前記複数の案内画像を生成し、
前記複数の案内画像のそれぞれには、前記道順に含まれる交差点における自車両の進行方向が示されており、
前記複数の案内画像が順番に表示されたときに、前記道順に含まれる複数の前記交差点のそれぞれにおける自車両の進行方向が順番に示されることを特徴とするナビゲーション装置。
【請求項２】
請求項１において、
前記案内画像生成手段は、前記車両位置検出手段によって検出された自車両の位置が前記誘導経路から外れて自車両が停車したときに前記複数の案内画像を生成することを特徴とするナビゲーション装置。
【請求項３】
請求項１または２において、
前記案内画像には、前記交差点における自車両の進行方向を示す矢印画像が含まれ、
前記複数の案内画像が順番に表示されたときに、自車両の進行方向を誘導する向きに、表示中の前記矢印の位置が変化することを特徴とするナビゲーション装置。
【請求項４】
請求項１〜３のいずれか一項において、
前記地図画像は、実際の道路形状および道路間の接続状態を概略的に描画した簡易地図画像であることを特徴とするナビゲーション装置。
【請求項５】
請求項１〜３のいずれか一項において、
前記地図画像は、実際の道路形状および道路間の接続状態を所定の縮尺で描画した詳細地図画像であることを特徴とするナビゲーション装置。
【請求項６】
請求項１〜５のいずれか一項において、
前記案内画像表示手段は、前記車両案内手段による案内動作が開始される前に、少なくとも前記複数の案内画像の表示を一巡させ、再度同じ順番で前記複数の案内画像の表示を繰り返すことを特徴とするナビゲーション装置。
【請求項７】
請求項１〜６のいずれか一項において、
前記案内画像表示手段は、前記案内画像を表示中であって前記車両案内手段による案内動作が開始される前に、前記車両位置検出手段による位置検出動作が開始された場合に、検出された自車両の位置を示す特定画像を前記案内画像に重ねて表示することを特徴とするナビゲーション装置。
【発明の詳細な説明】
【技術分野】
【０００１】
本発明は、車両に搭載されて、地図画像表示等により車両の走行案内を行うナビゲーション装置に関する。
【背景技術】
【０００２】
従来から、電源をオフにした後の動作停止処理時に自車両周辺の地図画像を不揮発性メモリに保存しておき、その後の電源オン時の動作起動処理時にナビゲーション装置の起動動作が終了するまでの間、不揮発性メモリから読み出した地図画像を読み出し表示するナビゲーション装置が知られている（例えば、特許文献１参照。）。このナビゲーション装置では、動作停止処理時に起動処理終了後に走行する道路の制限速度情報から車両が移動可能な範囲を算出して自車両周辺の地図画像を不揮発性メモリに保存しておき、動作起動処理時にナビゲーション装置の起動動作が終了するまでの間不揮発性メモリから地図画像を読み出し表示している。
【先行技術文献】
【特許文献】
【０００３】
【特許文献１】特表２０１２−５１４１８７号公報
【発明の概要】
【発明が解決しようとする課題】
【０００４】
ところで、上述した特許文献１に開示されたナビゲーション装置では、案内動作が開始されるまでの起動処理時に、起動処理終了後に走行する道路の制限速度情報から算出した範囲に対応する１枚の地図画像を表示するだけであるため、案内動作が開始される前の起動処理時に車両がどのような道順で道路や交差点を走行すればよいかを把握することは容易ではないという問題があった。
【０００５】
本発明は、このような点に鑑みて創作されたものであり、その目的は、案内動作が開始される前の起動処理時に車両が走行する道順を容易に把握することができるナビゲーション装置を提供することにある。
【課題を解決するための手段】
【０００６】
上述した課題を解決するために、本発明のナビゲーション装置は、経路探索処理によって得られた目的地までの誘導経路に沿って車両の走行を案内する車両案内手段と、自車両の位置を検出する車両位置検出手段と、自車両が停車して自装置の停止が指示されたときに、車両位置検出手段によって検出された自車両の位置から誘導経路に至る道順、あるいは、誘導経路に沿った道順を示す複数の案内画像を生成する案内画像生成手段と、案内画像生成手段によって生成された複数の案内画像を保存する案内画像保存手段と、自装置の次回起動時に、車両案内手段による案内動作が開始される前に、案内画像保存手段に保存された複数の案内画像を読み出して順番に表示する案内画像表示手段とを備えている。
【０００７】
ナビゲーション装置の起動が完了する前であって案内動作が開始できない状態において、目的地までの誘導経路に至る道順やこの誘導経路に沿った道順を複数の案内画像を順番に切り替えて表示することにより、自車両が走行する道順を容易に把握することが可能となる。
【０００８】
また、上述した案内画像生成手段は、車両位置検出手段によって検出された自車両の位置が誘導経路から外れて自車両が停車したときに複数の案内画像を生成することが望まし
い。これにより、土地勘のない場所にいて、目的地までの誘導経路から外れて食事や買い物などをした後の再出発時に、ナビゲーション装置の起動直後であっても迷うことなくこの誘導経路に戻ることができる。
【００１０】
また、上述した案内画像生成手段は、自車両の停車位置と、誘導経路に至る道順あるいは誘導経路に沿った道順に沿って自車両が走行する経路とが含まれる地図画像を複数複製して複数の案内画像を生成し、複数の案内画像のそれぞれには、道順に含まれる交差点における自車両の進行方向が示されており、複数の案内画像が順番に表示されたときに、道順に含まれる複数の交差点のそれぞれにおける自車両の進行方向が順番に示される。特に、上述した案内画像には、交差点における自車両の進行方向を示す矢印画像が含まれ、複数の案内画像が順番に表示されたときに、自車両の進行方向を誘導する向きに、表示中の矢印の位置が変化することが望ましい。これにより、車両の右左折位置および右左折方向をわかりやすく運転者に知らせることができる。
【００１１】
また、上述した地図画像は、実際の道路形状および道路間の接続状態を概略的に描画した簡易地図画像であることが望ましい。これにより、右左折箇所を強調したわかりやすい道順の案内が可能となる。
【００１２】
また、上述した地図画像は、実際の道路形状および道路間の接続状態を所定の縮尺で描画した詳細地図画像であることが望ましい。これにより、実際の道路形状を反映した感覚的にわかりやすい道順の案内が可能となる。
【００１３】
また、上述した案内画像表示手段は、車両案内手段による案内動作が開始される前に、少なくとも複数の案内画像の表示を一巡させ、再度同じ順番で複数の案内画像の表示を繰り返すことが望ましい。これにより、案内動作が開始されるまでの間に、予め用意しておいた一連の案内画像を全て表示して道順の案内を行うことが可能となる。
【００１４】
また、上述した案内画像表示手段は、案内画像を表示中であって車両案内手段による案内動作が開始される前に、車両位置検出手段による位置検出動作が開始された場合に、検出された自車両の位置を示す特定画像を案内画像に重ねて表示することが望ましい。これにより、自車位置と右左折交差点の位置および右左折方向との関係をよりわかりやすく示すことが可能となる。
【図面の簡単な説明】
【００１５】
【図１】一実施形態のナビゲーション装置の構成を示す図である。
【図２】案内準備処理の動作手順を示す流れ図である。
【図３】起動時簡易案内処理の動作手順を示す流れ図である。
【図４】エンジン停止時に切り出される地図の範囲の具体例を示す図である。
【図５】図４に示す地図を音声案内地点の数だけ複製した後に、各音声案内地点において車両の進行方向を示す矢印を付加した地図の具体例を示す図である。
【図６】実際の道路形状および道路間の接続状態を概略的に描画した簡易地図画像としての案内画像を示す図である。
【図７】検出された自車位置に自車位置マークを追加した案内画像を示す図である。
【発明を実施するための形態】
【００１６】
以下、本発明を適用した一実施形態のナビゲーション装置について、図面を参照しながら説明する。
【００１７】
図１は、一実施形態のナビゲーション装置の構成を示す図である。図１に示すナビゲーション装置は、ナビゲーションコントローラ１、地図データ記憶装置３、操作部４、車両位置検出部５、表示装置６、オーディオ部７、電源回路８を含んで構成されている。このナビゲーション装置は、車両に搭載されている。
【００１８】
ナビゲーションコントローラ１は、ＣＰＵ、ＲＯＭ、ＲＡＭ等を用いて所定の動作プログラムを実行することにより、自車位置周辺の地図画像表示動作や施設検索動作、経路探索・誘導動作などの各種機能を実現する。ナビゲーションコントローラ１の詳細構成については後述する。
【００１９】
地図データ記憶装置３は、地図表示、施設検索、経路探索などに必要な地図データが格納されている記憶媒体およびその読み取り装置である。この地図データ記憶装置３には、経度および緯度で適当な大きさに区切られた矩形形状の図葉を単位とした地図データが格納されている。各図葉の地図データは、図葉番号を指定することにより特定され、読み出すことが可能となる。地図データ記憶装置３は、ハードディスク装置や半導体メモリによって、あるいは、ＤＶＤとその読み取り装置によって実現される。また、地図データ記憶装置３を通信装置に置き換えて、外部の地図配信サーバ（図示せず）から地図データを取得するようにしてもよい。
【００２０】
操作部４は、利用者の指示（操作）を受け付けるためのものであり、各種の操作ボタンや操作つまみ類を備えている。また、操作部４は、表示装置６の画面に取り付けられたタッチパネルを含んでおり、画面上の一部を直接利用者が指等で指し示すことにより、操作指示を行うことができるようになっている。
【００２１】
車両位置検出部５は、例えば、ＧＰＳ受信機、方位センサ、距離センサなどを備えており、所定のタイミングで車両位置（経度、緯度）の検出を行い、検出結果を出力する。なお、最も簡易な構成で実現する場合には、ＧＰＳ受信機のみを用いて車両位置検出部５を実現するようにしてもよい。
【００２２】
表示装置６は、例えばＬＣＤ（液晶表示装置）によって構成されており、ナビゲーションコントローラ１から出力される映像信号に基づいて自車位置周辺の地図画像や交差点案内画像、あるいは、施設検索によって得られた施設やその周辺駐車場が含まれる検索結果画像などを表示する。オーディオ部７は、ナビゲーションコントローラ１から入力される音声信号に基づいて生成した案内音声等を車室内に出力する。
【００２３】
電源回路８は、バッテリ１００に接続されており、ナビゲーション装置の各部に対して動作電力を供給するために所定の動作電圧を生成する。この動作電圧の生成は、車両のＡＣＣスイッチ（アクセサリースイッチ）１１０のオン／オフ状態に連動して行われる。具体的には、ＡＣＣスイッチ１１０がオンされると、電源回路８は、直ちに動作電圧を生成してナビゲーション装置の各部に供給する。また、ＡＣＣスイッチ１１０がオフされると、所定の処理が終了した後、電源回路８は、動作電圧の供給を停止する。
【００２４】
次に、ナビゲーションコントローラ１の詳細構成について説明する。図１に示すナビゲーションコントローラ１は、地図バッファ１０、地図読出制御部１２、地図描画部１４、車両位置計算部２０、経路探索処理部２２、経路誘導処理部２４、施設検索部３０、目的地設定部３２、次回起動時経路探索処理部４０、案内画像生成部４２、案内画像記憶部４４、案内画像読出・描画部４６、入力処理部５０、表示処理部６０を含んで構成されている。
【００２５】
地図バッファ１０は、地図データ記憶装置３から読み出された地図データを一時的に格納する。地図読出制御部１２は、車両位置計算部２０により算出される車両位置や利用者が操作部４を操作して指定した位置に応じて、所定範囲の地図データの読み出し要求を地図データ記憶装置３に出力する。地図描画部１４は、地図バッファ１０に格納された地図データに基づいて、表示装置６に地図画像を表示するために必要な描画処理を行って地図画像描画データを作成する。
【００２６】
車両位置計算部２０は、車両位置検出部５から出力される検出データに基づいて自車位置を計算するとともに、計算した自車位置が地図データの道路上にない場合には、自車位置を修正するマップマッチング処理を行う。
【００２７】
経路探索処理部２２は、経路探索処理を行って、出発地と目的地との間を所定の探索条件にしたがって結ぶ走行経路（誘導経路）を探索する。経路誘導処理部２４は、経路探索処理部２２による経路探索処理によって得られた誘導経路を地図上に重ねて表示したり、右左折交差点の拡大図を表示するための誘導経路描画データを作成するとともに、誘導経路に沿って車両を誘導するために必要な交差点案内等の音声信号を生成する。
【００２８】
施設検索部３０は、操作部４を用いて設定された検索条件を満たす施設を検索する。例えば、検索条件として、施設のジャンルを指定して候補となる施設を絞り込む場合や、電話番号あるいは住所等を特定して施設を絞り込む場合などが考えられる。このようにして特定の施設が抽出された後、この施設を目的地として用いた経路探索処理や、この施設の周辺地図や詳細情報の表示などが行われる。
【００２９】
目的地設定部３２は、経路探索処理部２２によって行われる経路探索処理に必要な目的地あるいは経由地を設定する。例えば、施設検索部３０による検索によって抽出された施設を目的地や経由地として設定する場合や、利用者が操作部４を操作して直接指定した地図画像上の地点を目的地や経由地として設定する場合などが考えられる。
【００３０】
次回起動時経路探索処理部４０は、経路探索処理によって得られた走行経路に沿って目的地に向かって走行中の車両がこの走行経路から外れて停車（ＡＣＣスイッチ１１０をオフ）時に、目的地までの経路探索処理を再実行する。この経路探索処理の再実行等の処理が終了した後に、電源回路８は、動作電圧の供給を停止する。なお、停車前に設定されていた走行経路を「走行経路Ａ」、ＡＣＣスイッチ１１０をオフした後の経路探索処理の再実行によって得られた走行経路を「走行経路Ｂ」とする。
【００３１】
案内画像生成部４２は、走行経路Ｂが始めて走行経路Ａと接する地点Ｘを検出し、停車時の自車位置と地点Ｘが含まれる範囲、あるいは、走行経路Ｂが含まれる所定範囲の案内画像を生成する。また、案内画像生成部４２は、これらの範囲に含まれる走行経路Ｂに沿って、経路誘導処理部２４による音声案内地点を検出し、この地点の数だけ案内画像を複製し、各音声案内地点における車両の進行方向を示す矢印画像を各案内画像を付加する。このようにして、Ｎ（Ｎは２以上の整数）箇所の異なる音声案内地点のそれぞれに対応するように、１枚の案内画像に１つの矢印画像が含まれるようにＮ枚の案内画像が生成される。案内画像生成部４２は、このようにして生成したＮ枚の案内画像を案内画像記憶部４４に保存する。
【００３２】
上述した次回起動時経路探索処理部４０による経路探索処理と、案内画像生成部４２によるＮ枚の案内画像の生成および保存処理が終了した後、電源回路８による動作電圧の供給動作が停止される。
【００３３】
案内画像読出・描画部４６は、エンジン再始動時（ＡＣＣスイッチ１１０オン時）に、案内画像記憶部４４からＮ枚の案内画像を順番に所定の時間間隔で読み出して必要な描画処理を行う。この案内画像は表示処理部６０に入力されて表示装置６に表示される。
【００３４】
入力処理部５０は、操作部４から入力される各種の操作指示に対応する動作を行うための命令をナビゲーションコントローラ１内の各部に向けて出力する。
【００３５】
表示処理部６０は、地図描画部１４によって作成される地図画像描画データが入力されており、この描画データに基づいて所定範囲の地図画像を表示装置６の画面に表示する。また、経路探索処理部２２によって設定される走行経路や、施設検索部３０による検索によって得られた施設を示す描画データが入力されると、表示処理部６０は、これらの描画データを地図画像に重ねて表示装置６の画面に表示する。さらに、表示処理部６０は、ナビゲーション装置の起動時に所定のオープニング画面を表示する処理や、案内画像読出・描画部４６によって描画された案内画像を表示する処理を起動時に行うが、これらの処理については後述する。
【００３６】
上述した経路誘導処理部２４が車両案内手段に、車両位置検出部５、車両位置計算部２０が車両位置検出手段に、次回起動時経路探索処理部４０、案内画像生成部４２が案内画像生成手段に、案内画像記憶部４４が案内画像保存手段に、案内画像読出・描画部４６、表示処理部６０が案内画像表示手段にそれぞれ対応する。
【００３７】
本実施形態のナビゲーション装置はこのような構成を有しており、次に、その動作を説明する。
【００３８】
例えば、目的地までの走行経路に沿って経路誘導中に、目的地以外の施設に立ち寄って一旦エンジンを停止した際に案内画像記憶部４４にＮ枚の案内画像を保存する「案内準備処理」が行われ、この案内準備処理が終了した後、電源回路８による動作電圧の供給が停止してナビゲーション装置の動作が終了する。
【００３９】
また、エンジンを再始動したときに、経路誘導処理部２４による走行経路に沿った案内動作が開始されるまでの間、案内画像記憶部４４に保存されているＮ枚の案内画像が順番に読み出されて表示される「起動時簡易案内処理」が行われる。
【００４０】
図２は、案内準備処理の動作手順を示す流れ図である。ナビゲーション装置が動作中に、次回起動時経路探索処理部４０は、電源をオフする指示があったか否か（具体的には、ＡＣＣスイッチ１１０がオフされたか否か）を判定する（ステップ１００）。オフする指示がない場合には否定判断が行われ、この判定が繰り返される。また、ＡＣＣスイッチ１１０がオフされると、ステップ１００において肯定判断が行われる。
【００４１】
次に、次回起動時経路探索処理部４０は、目的地までの走行経路が設定されているか否かを判定する（ステップ１０２）。目的地までの走行経路が設定されている場合（この走行経路に沿って経路誘導処理部２４による案内動作が行われている場合）には肯定判断が行われる。
【００４２】
次に、案内画像生成部４２は、現在の走行経路（走行経路Ａ）を保存する（ステップ１０４）。また、次回起動時経路探索処理部４０は、経路探索処理による再探索を行って、自車位置から目的地まで走行経路（走行経路Ｂ）を設定する（ステップ１０６）。
【００４３】
次に、案内画像生成部４２は、保存した走行経路Ａと再探索後の走行経路Ｂが一致する地点Ｘを検出する（ステップ１０８）。また、案内画像生成部４２は、地点Ｘが所定範囲に含まれるか否かを判定する（ステップ１１０）。この「所定範囲」は、次回エンジンを再始動してナビゲーション装置が起動されてから経路誘導処理部２４による経路誘導が開始されるまでの間に走行可能な範囲と比較して同じあるいは広いことが望ましい。所定範囲に地点Ｘが含まれる場合には肯定判断が行われる。
【００４４】
次に、案内画像生成部４２は、自車位置と地点Ｘおよびこれらを結ぶ走行経路Ｂが含まれる所定範囲の地図を切り出す（ステップ１１２）。一方、所定範囲に地点Ｘが含まれない場合にはステップ１１０の判定において否定判断が行われる。この場合には、案内画像生成部４２は、自車位置と自車位置から続く走行経路Ｂが含まれる所定範囲の地図を切り出す（ステップ１１４）。
【００４５】
ステップ１１２あるいはステップ１１４における地図の切り出しが終了した後、案内画像生成部４２は、これら切り出した地図に含まれる音声案内地点を抽出し、その数Ｎだけ地図を複製する（ステップ１１６）。ここで、「音声案内地点」とは、走行経路に沿って音声による経路誘導処理部２４による交差点案内が行われる地点であり、右左折交差点だけでなく、直進を知らせる案内音声が出力される右左折しない交差点や、交差点以外の箇所も含まれる。
【００４６】
次に、案内画像生成部４２は、複製したＮ枚の地図のそれぞれについて音声案内地点において車両の進行方向を示す矢印を付加する（ステップ１１８）。例えば、１枚目の地図では自車位置に最も近い音声案内地点において矢印が付加される。また、２枚目の地図では自車位置から２番目に近い音声案内地点において矢印が付加される。同様にして、ｉ（≦Ｎ）枚目の地図では自車位置からｉ番目に近い音声案内地点において矢印が付加される。
【００４７】
次に、案内画像生成部４２は、矢印を付加したＮ枚の地図（案内画像）を案内画像記憶部４４に保存する（ステップ１２０）。このようにしてＮ枚の案内画像の保存が終了した後、電源回路８は、電源をオフし、ナビゲーション装置の各部に動作電圧の供給を停止する（ステップ１２２）。
【００４８】
図３は、起動時簡易案内処理の動作手順を示す流れ図である。エンジンが再始動され、ＡＣＣスイッチ１１０がオンされて電源回路８によるナビゲーション装置各部への動作電圧の供給が開始されてナビゲーション装置が動作を開始すると、通常の地図表示動作や経路誘導動作を開始するまでの間（起動動作が完了するまでの間）、所定のオープニング表示が行われる（ステップ２００）。なお、図１では、オープニング表示を行う構成が省略されている。
【００４９】
次に、案内画像読出・描画部４６は、起動動作が完了したか否かを判定する（ステップ２０２）。起動動作中は否定判断が行われ、次に、案内画像読出・描画処理部４６は、前回のエンジン停止時であってナビゲーション装置の動作が終了するまでに案内画像記憶部４４にＮ枚の案内画像が保存された否かを判定する（ステップ２０４）。例えば、設定された目的地に向かって経路誘導動作が行われた場合以外（図２のステップ１０２の判定において否定判断が行われた場合）には案内画像が生成されず、保存もされない。このような場合にはステップ２０４の判定において否定判断が行われ、ステップ２００に戻ってオープニング表示が継続される。
【００５０】
また、案内画像記憶部４４にＮ枚の案内画像が保存されている場合には、ステップ２０４の判定において肯定判断が行われる。次に、案内画像読出・描画部４６は、Ｎ枚の案内画像のそれぞれについて、１回目の案内画像の読み出しか否かを判定する（ステップ２０６）。例えば、起動時簡易案内処理が終了するまで、Ｎ枚の案内画像のそれぞれがＴ秒間隔で順番に読み出されて表示されるが、ｉ枚目の案内画像を読み出して表示する動作はＴ秒間の間に複数回繰り返される。このｉ枚目の案内画像の表示から（ｉ＋１）枚目の案内画像の表示に切り替えるためには、ｉ枚目の案内画像の表示が行われてからＴ秒が経過したことを判定する必要がある。この判定を行うために、ｉ枚目の案内画像についての読み出し回数が１回目であるか否かを知る必要があり、上述したステップ２０６の判定が行われる。
【００５１】
ｉ枚目の案内画像について１回目の読み出しを行う場合にはステップ２０６の判定において肯定判断が行われる。次に、案内画像読出・描画部４６は、ｉ番目の案内画像について案内画像記憶部４４から１回目の読出しおよび描画を行い（ステップ２０８）、表示処理部６０はこの描画された案内画像を表示装置６に表示する（ステップ２１０）。その後、ステップ２０２に戻って起動動作完了の有無判定以降の動作が繰り返される。
【００５２】
また、ｉ番目の案内画像について２回目以降の読み出しを行う場合にはステップ２０６の判定において否定判断が行われる。次に、案内画像読出・描画部４６は、ｉ番目の案内画像について１回目の読み出し、描画、表示が開始されてから一定時間Ｔ経過したか否かを判定する（ステップ２１２）。時間Ｔが経過していない場合には否定判断が行われる。この場合には、案内画像読出・描画部４６は、前回と同じｉ番目の案内画像の読出しおよび描画を行い（ステップ２１４）、表示処理部６０はこの描画された案内画像を表示装置６に表示する（ステップ２１６）。その後、ステップ２０２に戻って起動動作完了の有無判定以降の動作が繰り返される。
【００５３】
また、時間Ｔが経過した場合にはステップ２１２の判定において肯定判断が行われる。この場合には、案内画像読出・描画部４６は、次の（ｉ＋１）番目の案内画像の読出しおよび描画を行い（ステップ２１８）、表示処理部６０はこの描画された案内画像を表示装置６に表示する（ステップ２２０）。その後、ステップ２０２に戻って起動動作完了の有無判定以降の動作が繰り返される。
【００５４】
このようにして、案内画像記憶部４４に前回のエンジン停止時に保存されていたＮ枚の案内画像の表示がＴ秒間隔で順番に行われる。なお、Ｎ枚目の案内画像の表示が終了すると、１枚目に戻って案内画像の表示が繰り返される。また、経路誘導処理部２４による案内動作が開始されるまでの間に、少なくともＮ枚目の案内画像までの表示が終了するように、案内画像の表示周期であるＴの値が設定されている。
【００５５】
また、案内画像の表示中にナビゲーション装置の起動動作が完了すると、ステップ２０２の判定において肯定判断が行われる。その後、経路誘導処理部２４による経路誘導動作が開始される（ステップ２２２）。この経路誘導動作は、開始時点における自車両の位置が走行経路Ｂに沿った位置にある場合にはこの走行経路Ｂに沿って行われるが、走行経路Ｂから外れている場合には経路探索処理が再度行われ、新たに得られた走行経路Ｃに沿って行われることになる。また、前回のエンジン停止時に目的地が設定されておらず、経路誘導処理が行われていない場合（図２のステップ１０２および図３のステップ２０４のそれぞれにおいて否定判断された場合）には、ステップ２２２の経路誘導動作に変えて自車位置周辺の地図画像の表示動作が行われる。
【００５６】
図４は、エンジン停止時に切り出される地図の範囲の具体例を示す図である。ある施設の駐車場に車両を駐車した場合であって、自車位置マークＧによって車両位置が示されている。Ｂは、経路探索処理によって得られた目的地までの走行経路である。また、所定範囲に含まれる走行経路Ｂには、３つの音声案内地点ａ、ｂ、ｃが含まれている。さらに、この中で地点ｂは、エンジン停止までの走行経路Ａとエンジン停止後に再探索によって得られた走行経路Ｂが一致する地点Ｘである。すなわち、図４に示す地図は、図２のステップ１１２において地点Ｘを含むように切り出された所定範囲の地図を示すものである。また、図４に示す地図は、実際の道路形状および道路間の接続状態を所定の縮尺で描画した詳細地図画像である。
【００５７】
図５は、図４に示す地図を音声案内地点の数（＝３）だけ複製した後に、各音声案内地点において車両の進行方向を示す矢印を付加した地図の具体例を示す図である。図５（Ａ）に示す地図では、最初の音声案内地点ａに車両の進行方向を示す矢印が付加されている。図５（Ｂ）に示す地図では、２番目の音声案内地点ｂに車両の進行方向を示す矢印が付加されている。図５（Ｃ）に示す地図では、３番目の音声案内地点ｃに車両の進行方向を示す矢印が付加されている。
【００５８】
このようにして切り出された地図は、次回のエンジン始動時であってナビゲーション装置の起動準備が終了するまでの間、出発時の車両位置に音声案内地点が近い順に、具体的には図５（Ａ）→図５（Ｂ）→図５（Ｃ）の順に読み出された順番に表示される。そして、図５（Ｃ）まで表示が終了すると、その後図５（Ａ）に戻って同じ順番で表示が繰り返される。
【００５９】
このように、本実施形態のナビゲーション装置では、起動動作が完了する前であって経路誘導処理部２４による案内動作が開始できない状態において、目的地までの走行経路に至る道順やこの走行経路に沿った道順を複数の案内画像を順番に切り替えて表示することにより、運転者は、自車両が走行する道順を容易に把握することが可能となる。また、自車両の位置がエンジン停止時に設定されていた走行経路から外れて停車したときに複数の案内画像が生成されるため、土地勘のない場所にいて、目的地までの走行経路から外れて食事や買い物などをした後の再出発時に、ナビゲーション装置の起動直後であっても迷うことなくこの走行経路に戻ることができる。また、本発明の案内画像の表示は、経路誘導処理部２４による案内動作が開始される前に行われるため、ナビゲーション装置による通常の案内動作を開始するまでの間、運転開始直後に車両の進行方向を確実に誘導することが可能となる。
【００６０】
また、本発明において表示される案内画像は、自車両の停車位置と、走行経路に至る道順あるいは走行経路に沿った道順に沿って自車両が走行する経路とが含まれる地図画像であり、複数の案内画像のそれぞれには、道順に含まれる交差点における自車両の進行方向が示されており、複数の案内画像が順番に表示されたときに、道順に含まれる複数の交差点のそれぞれにおける自車両の進行方向が順番に示される。特に、各案内画像には、交差点における自車両の進行方向を示す矢印画像が含まれ、複数の案内画像が順番に表示されたときに、自車両の進行方向を誘導する向きに、表示中の矢印の位置が変化する。これにより、車両の右左折位置および右左折方向をわかりやすく運転者に知らせることができる。
【００６１】
また、上述した地図画像（例えば図５に示す案内画像）は、実際の道路形状および道路間の接続状態を所定の縮尺で描画した詳細地図画像が用いられている。これにより、実際の道路形状を反映した感覚的にわかりやすい道順の案内が可能となる。
【００６２】
また、上述した案内画像はＮ枚用意されており、経路誘導処理部２４による経路誘導が開始される前に、これらＮ枚の案内画像の表示を一巡させ、再度同じ順番でこれらＮ枚の案内画像の表示を繰り返している。これにより、経路誘導が開始されるまでの間に、予め用意しておいた一連の案内画像を全て表示して道順の案内を行うことが可能となる。
【００６３】
なお、本発明は上記実施形態に限定されるものではなく、本発明の要旨の範囲内において種々の変形実施が可能である。例えば、上述した実施形態では、予め用意するＮ枚の案内画像を、実際の道路形状および道路間の接続状態を所定の縮尺で描画した詳細地図画像としたが、図６に示すように、実際の道路形状および道路間の接続状態を概略的に描画した簡易地図画像としてもよい。これにより、右左折箇所を強調したわかりやすい道順の案内が可能となる。
【００６４】
また、実施形態では、Ｎ枚の案内画像に含まれる自車位置マークＧの位置を走行開始時の駐車位置に固定したが、経路誘導処理部２４による案内動作が開始される前に、車両位置検出部５および車両位置計算部２０による位置検出動作が開始された場合に、検出された自車両の位置を示すように自車位置マークＧ（特定画像）の位置を変化させるようにしてもよい。例えば、図７に示すように音声案内地点ａとｂの間を走行中に自車位置の検出動作が開始された場合には、この自車位置に対応する位置に自車位置マークＧが表示される。これにより、自車位置と右左折交差点の位置および右左折方向との関係をよりわかりやすく示すことが可能となる。
【００６５】
また、上述した実施形態では、各案内画像において矢印を付加する位置を音声案内地点としたが、この音声案内地点として右左折交差点のみを含めるようにしてもよい。右左折交差点以外の直進交差点や、１本道がカーブするような箇所において音声案内を行う場合もあるが、これらの箇所に矢印が付加されていなければ運転者はこの地点を直進すればよいだけであり、この地点に矢印が付加された案内画像が用意されていないからといって特に不都合はないと考えられる。
【００６６】
また、上述した実施形態では、走行経路Ａと走行経路Ｂとが一致する地点Ｘを検出したが（図２のステップ１０８）、所定範囲に地点Ｘが含まれていてもいなくても結局所定範囲の地図の切り出しを行うことになるため、地点Ｘを検出することなく、地図の切り出しを行って処理を簡略化するようにしてもよい。この場合には、図２のステップ１０４、１０８、１１０、１１２を省略することができる。
【産業上の利用可能性】
【００６７】
上述したように、本発明によれば、ナビゲーション装置の起動が完了する前であって案内動作が開始できない状態において、目的地までの走行経路に至る道順やこの走行経路に沿った道順を複数の案内画像を順番に切り替えて表示することにより、自車両が走行する道順を容易に把握することが可能となる。
【符号の説明】
【００６８】
１  ナビゲーションコントローラ
３  地図データ記憶装置
５  車両位置検出部
６  表示装置
８  電源回路
１０  地図バッファ
１２  地図読出制御部
１４  地図描画部
２０  車両位置計算部
２２  経路探索処理部
２４  経路誘導処理部
４０  次回起動時経路探索処理部
４２  案内画像生成部
４４  案内画像記憶部
４６  案内画像読出・描画部
６０  表示処理部
１００  バッテリ
１１０  ＡＣＣスイッチ
【図１】
0006804136.tif 000002
【図２】
0006804136.tif 000003
【図３】
0006804136.tif 000004
【図４】
0006804136.tif 000005
【図５】
0006804136.tif 000006
【図６】
0006804136.tif 000007
【図７】
0006804136.tif 000008